(57)【特許請求の範囲】
【請求項１】
筒状のケーシングと、
前記ケーシングの先端側に配置された光源と、
前記ケーシングの後端側開口に着脱自在に装着された、ファンを有するファンユニットと、
前記光源と前記ファンとの間に収容された、該光源からの熱を放散する放熱部材とを備え、
前記放熱部材は、軸心方向の長さの方が径方向の長さよりも長く、前記ケーシング内から単独で取り出し自在なものであることを特徴とする照明装置。
【請求項２】
前記ファンユニットは、前記ケーシングの後端側開口から前記放熱部材の前記軸心方向の長さよりも短い距離離れた位置までの間に配置されたものであることを特徴とする請求項１記載の照明装置。
【請求項３】
前記放熱部材は、前記ケーシングの外側から固定部材によって該ケーシングに固定されるものであって、該固定部材を外すことによって、前記後端側開口から取り出すことができるものであることを特徴とする請求項１又は２記載の照明装置。
【請求項４】
請求項１から３のいずれか１項記載の照明装置と、
前記照明装置を固定物に取付けるステーとを備え、
前記ステーは、前記ケーシングの径方向を回動軸にして前記照明装置を回動自在に支持する支持部と、該照明装置を支持した支持部が該照明装置の軸周りに回転可能に該支持部に連結したパイプ部材と、前記固定物に前記パイプ部材を軸周りに回転不能に取付ける取付部とを備え、
前記パイプ部材は、前記光源および前記ファンに電力を供給する電力供給線を収容し、前記支持部に支持された前記照明装置が軸周りに所定角度を超えて回転することを防止する回転防止部を有することを特徴とする照明システム。
【発明の詳細な説明】
【技術分野】
【０００１】
光源とその光源からの熱を放散する放熱部材を備えた照明装置、およびその照明装置を有する照明システムに関する。
【背景技術】
【０００２】
昨今、展示会やショーウィンドウ、あるいは一般家庭等においても照明による光の演出の人気が高まってきている。この光の演出を行うの照明装置であるが、照明装置に備えられた光源は、光を発するとともに熱も発する。光源から発生した熱の放散が不十分であると、その熱によって照明装置が破損したり異常をきたす。また、照明装置の照射方向等を調整しようとした場合に、照明装置が熱くて触れない、あるいは不用意に触ってしまって火傷を負うことがある。このため、従来より、光源からの熱を放散する放熱部材を備えた照明装置が提案され（例えば、特許文献１等参照）、放熱部材の形状や材質等を工夫して放熱効果を高める試みが種々なされている。
【０００３】
放熱部材の形状や材質等を工夫すると、放熱部材の放熱効果をある程度高めることはできるが、放熱部材の容量に依存するところが大きいのが実情であり、十分な放熱効果を得ようとすると放熱部材を大きくすることは避けられず、引いては照明装置の大型化を招いている。
【先行技術文献】
【特許文献】
【０００４】
【特許文献１】特開２００６−２３６７９６号公報
【発明の概要】
【発明が解決しようとする課題】
【０００５】
しかしながら、そもそも、光の演出を行う照明装置は、装置自身が主役になり得ることはなく、主役はあくまで照明装置が照射するもの、あるいは照射した光であり、照明装置は小さければ小さいほど目立たず、また、スタイリッシュなデザインであればあるほど、その場のデザインの一部として見ることができ好ましい。光の演出の人気が高まってきた現在では、ことさら、小型でスタイリッシュなデザインの照明装置による効果的な光の演出が望まれるようになってきている。また、照明装置が大型化すると、照明装置の運搬や設置、さらには設置した照明装置の調整も大変になる。
【０００６】
上記課題に鑑み本発明は、小型でスタイリッシュなデザインを施すことができる、放熱効果に優れた照明装置、およびその照明装置を有する照明システムを提供することを目的とする。
【課題を解決するための手段】
【０００７】
上記目的を解決する本発明の照明装置は、
筒状のケーシングと、
前記ケーシングの先端側に配置された光源と、
前記ケーシングの後端側開口に着脱自在に装着された、ファンを有するファンユニットと、
前記光源と前記ファンとの間に収容された、該光源からの熱を放散する放熱部材とを備え、
前記放熱部材は、軸心方向の長さの方が径方向の長さよりも長いものであることを特徴とする。
また、前記ファンユニットは、前記ケーシングの後端側開口から前記放熱部材の前記軸心方向の長さよりも短い距離離れた位置までの間に配置されたものであってもよい。
また、前記放熱部材は、前記ケーシング内から取り出し自在なものであってもよい。
さらに、筒状のケーシングと、
上記ケーシングの先端側に配置された光源と、
上記ケーシングの後端側に配置されたファンと、
上記ケーシング内の、上記光源と上記ファンとの間に収容された、その光源からの熱を放散する放熱部材とを備え、
上記ケーシングは、後端面に上記ファンにつながる開口を有するものであることを特徴とする照明装置であってもよい。
【０００８】
ここで、上記ケーシングは、円筒体であってもよいし、多角形の筒体であってもよい。
また、上記光源は、ハロゲンランプ、ＨＩＤランプ、あるいは発光ダイオードであってもよい。さらに、上記開口は、上記ケーシングの後端面全体が開口したものであってもよいし、後端面の一部が開口したものであってもよい。
【０００９】
本発明の照明装置によれば、上記ファンを備えているため、上記光源で発生した熱の放散を、放熱部材のみに頼ることなく、その熱を、上記ファンの力も借りて効率的に装置外に放散することができる。このため、放熱部材を小型化することができ、装置全体も小型化され、スタイリッシュなデザインを施すこともできる。
【００１０】
また、本発明の照明装置において、上記ケーシングは金属製のものであって、
上記放熱部材は、上記ケーシングの内周壁に接触した状態でそのケーシング内に収容されたものであることが好ましい。
【００１１】
ここで、上記放熱部材は、複数のフィン部を有し、そのフィン部の先端が上記ケーシングの内周壁に接触した状態でそのケーシング内に収容されたものであってもよい。
【００１２】
こうすることで、上記ケーシング自体も放熱に作用することになり、より一層、放熱効果に優れた照明装置を提供することができる。
【００１３】
また、本発明の照明装置において、上記ケーシングは、空気取入口を有するものであり、
上記放熱部材は、上記空気取入口から入り込んだ空気が後端側に流れる流路が形成されたものである態様も好ましい。
【００１４】
上記空気取入口は、上記ケーシングの先端面に設けられたものであってもよいし、上記ケーシング周面における、上記放熱部材の先端部分近傍に設けられたものであってもよい。
【００１５】
この態様によれば、上記ケーシング内に空気の流路が形成され、上記光源で発生した熱が、その流路を流れる空気によって効率的に装置外に放出される。
【００１６】
また、本発明の照明装置において、上記ケーシングは、先端部分の径と後端部分の径が同一あるいは略同一であって、軸方向の長さの方が先端部分における径方向の長さよりも長いものであることも好ましい。
【００１７】
ここにいう軸方向とは、上記ケーシングの先端と後端を結ぶ方向のことであり、径方向とは、その軸方向に直交する方向のことである。例えば、上記ケーシングが四角形の筒体である場合には、先端部分や後端部分の径方向の長さは対角線の長さになる。すなわち、上記ケーシングは、上記軸方向の長さの方が、先端部分における最長になる径の長さよりも長いものであればよい。
【００１８】
このようにケーシングの形状に特徴を持たせることで、より目立たず、かつよりスタイリッシュな照明装置を提供することができる。また、このように細長い形状にした方が、装置内部に熱がこもりにくく、放熱効果が向上する。
【００１９】
また、本発明の照明装置において、上記放熱部材は、上記ケーシング内から取り出し自在なものである態様も好ましい。
【００２０】
ここで、上記ファンが、上記ケーシングから取り外し自在なものであって、そのファンを取り外すことで、上記放熱部材をそのケーシング内から取り出すことができる態様であってもよいし、上記光源が、上記ケーシングから取り外し自在なものであって、その光源を取り外すことで、上記放熱部材をそのケーシング内から取り出すことができる態様であってもよい。
【００２１】
この態様によれば、照明装置のメンテナンスが容易になる。照明装置を長期間使用すると、上記空気取入口がホコリ等によって塞がれて開口面積が小さくなり、上記ケーシング内に空気の流れが生じにくくなって放熱効果が低下することがある。また、上記放熱部材がホコリ等によって目詰まりする形状である場合にも、放熱効果が低下してしまうことがある。上記態様によれば、上記放熱部材をケーシング内から取り出すことができるため、放熱部材からホコリ等を簡単に除去することができる。また、放熱部材を取り出したケーシング内にエアーを吹き込めば、ケーシング内周壁に付着したホコリや、上記空気取入口を塞ぐホコリも簡単に吹き飛ばすことができ、メンテナンスが容易になる。
【００２２】
さらに、本発明の照明装置において、上記光源よりも先端側にレンズを備え、
上記レンズは、上記光源からの光を透過する透光性の固定部材によって上記ケーシングに固定され、
上記固定部材は、上記ケーシングの外から視認可能なものであることも好ましい。
【００２３】
ここで、上記固定部材は、頭部が上記ケーシングから露出した透明ネジであってもよい。
【００２４】
上記透光性の固定部材は、光源が光を発すると光ることになり、発光／非発光の確認部材として機能する。照明装置を設置したり調整するために、照明装置の後方から作業する場合には、照明装置が発光しているのか否かを確認しづらいことがあるが、この透光性の固定部材を備えることで、照明装置が発光しているのか否かを容易に確認することができる。また、透光性の固定部材は、意匠的にも優れている。
【００２５】
なお、上記固定部材は、上記レンズの周縁部に食い込んだ状態でそのレンズを上記ケーシングに固定するものであってもよい。
【００２６】
またさらに、本発明の照明装置において、上記ケーシングにおける軸方向の取付位置を該ケーシングの先端側で変更可能に該ケーシングに取付けられたレンズを備えたことも好ましい。
【００２７】
すなわち、上記レンズは、上記ケーシングにおける軸方向の取付位置を変えて該ケーシングに取り付けることができるものである。こうすることで、照射する光の照度を簡単に調整することができる。
【００２８】
上記目的を解決する本発明の照明システムは、本発明の照明装置と、
上記照明装置を固定物に取付けるステーとを備え、
上記ステーは、上記ケーシングの径方向を回動軸にして上記照明装置を回動自在に支持する支持部と、該照明装置を支持した支持部が該照明装置の軸周りに回転可能に該支持部に連結したパイプ部材と、上記固定物に上記パイプ部材を軸周りに回転不能に取付ける取付部とを備え、
上記パイプ部材は、上記光源および上記ファンに電力を供給する電力供給線を収容し、
上記支持部に支持された上記照明装置が軸周りに所定角度を超えて回転することを防止する回転防止部を有することを特徴とする。
【００２９】
本発明の照明システムによれば、本発明の照明装置を有するものであるため、小型でスタイリッシュなデザインを施すことができる、放熱効果に優れた照明システムを提供することができる。また、本発明の照明システムでは、上記照明装置の、上記径方向を回動軸にした回動も、軸周りの回転も許容するため、照明装置の照射方向の調整が自由自在に行える。しかも、上記回転防止部を有するため、上記照明装置を軸周りに不必要に回転させて上記電力供給線が捩れてしまうことが防止される。
【００３０】
ここで、上記支持部は、金属製のものであってもよい。また、上記固定部は、上記光源を制御する制御回路を有するものであってもよいが、その制御回路は、上記ケーシング内の、上記放熱部材と上記ファンとの間に収容されたものであってもよい。
【発明の効果】
【００３１】
本発明によれば、小型でスタイリッシュなデザインを施すことができる、放熱効果に優れた照明装置、およびその照明装置を有する照明システムを提供することができる。
【図面の簡単な説明】
【００３２】
【図１】（ａ）は本発明の照明システムの一実施形態を上方から示す図であり、（ｂ）は（ａ）に示す取付部を側方から見た図である。
【図２】（ａ）は図１に示す照明装置を示す図であり、（ｂ）は（ａ）に示す照明装置が備えるヒートシンクを軸方向後端側から見た図であり、（ｃ）は（ａ）に示す照明装置を先端側から見た図である。
【図３】図１に示す照明システムを後端側から見た様子を模式的に示す図である。
【図４】（ａ）は図２（ａ）に示す照明装置の第１変形例を示す図であり、（ｂ）は（ａ）に示す照明装置が備えるヒートシンクを軸方向後端側から見た図である。
【図５】（ａ）は図２（ａ）に示す照明装置の第２変形例を示す図であり、（ｂ）は図５（ａ）に示す照明装置を軸方向先端側から見た図である。
【発明を実施するための形態】
【００３３】
以下、図面を用いて本発明の照明システムの一実施形態について説明する。
【００３４】
図１（ａ）は、本発明の照明システムの一実施形態を上方から示す図である。
【００３５】
図１（ａ）に示す照明システム１０は、本発明の照明装置の一実施形態に相当する照明装置１１と、その照明装置１１を固定物である壁９０等に取付けるステー１２とを備える。照明装置１１は、ここでは、展示会等において展示物をスポット的に照射する細長い円柱形状のものである。図１（ａ）に示す照明装置１１は、内部構造がわかるように透視した状態で示されている。この照明装置１１は、円筒状のケーシング１１１と、光源１１２と、放熱部材としてのヒートシンク１１３と、電動式のファンが組み込まれたファンユニット１１４を備えている。光源１１２は、基板に複数のチップ型の発光ダイオードが設けられたものである。この光源１１２は、円筒状のケーシング１１１の先端側に配置されている。また、ファンユニット１１４は、ここでは不図示のファンの他、そのファンを回転駆動するモータを備えており、ケーシング１１１の後端側開口に嵌め込まれた状態でケーシング１１１の後端側に配置されている。図１（ａ）では、照明装置１１は、先端側が壁側９０（図１（ａ）では左側）を向いている。
【００３６】
図１（ａ）に示すステー１２は、コ字状の支持部１２１と、長尺なパイプ部材１２２と、壁９０に固定された取付部１２３を有する。これらの支持部１２１、パイプ部材１２２、および取付部１２３はいずれも金属製のものである。
【００３７】
コ字状の支持部１２１は、円筒状のケーシング１１１の周面１１１ａを挟み込むようにして照明装置１１を支持するものである。この支持部１２１は、ケーシング１１１の径方向を回動軸（図中の点線Ｌ参照）にして照明装置１１を回動自在に支持する。図１（ａ）に示す照明装置１１は、その回動軸を中心に紙面に対して垂直方向に回動する。なお、図１（ａ）では、ケーシング１１１の軸方向は図の左右方向になり、ケーシング１１１の径方向は、その軸方向に直交する方向（例えば図の上下方向）になる。また、支持部１２１には、係合片１２１１が設けられているが、この係合片１２１１については後述する。
【００３８】
パイプ部材１２２は、図１（ａ）では中間を図示省略しているが数十ｃｍにもなる長尺物である。なお、パイプ部材１２２は、長さが異なるものに交換可能である。このパイプ部材１２２は、照明装置１１を支持した支持部１２１がその照明装置１１の軸周りに回転可能に連結したものである。このパイプ部材１２２は、回転防止部１２２１を有するが、この回転防止部１２２１については後述する。また、パイプ部材１２２の内部には、光源１１２およびファンユニット１１４に電力を供給する電力供給線や制御信号が伝送される信号線といった電線が収容されているが、この電線も図１（ａ）では図示省略している。
【００３９】
図１（ｂ）は、図１（ａ）に示す取付部を側方から見た図である。
【００４０】
取付部１２３は、壁９０の溝９１に係止する係止片１２３１と、光源１１２を制御する制御回路が内蔵されたベース部１２３２を有する。係止片１２３１はビス１２３１ａによって壁９０に固定され、係止片１２３１による溝９１への係止とビス止めによって取付部１２３は壁９０にしっかりと固定され、照明システム１０は壁９０に取付けられる。
【００４１】
図２（ａ）は、図１に示す照明装置を示す図である。
【００４２】
この図２（ａ）でも照明装置１１は内部構造がわかるように透視した状態で示されており、先端側が図の左側になり、後端側が図の右側になる。また、図２（ａ）でも、ケーシング１１１の軸方向は図の左右方向になり、ケーシング１１１の径方向は、その軸方向に直交する方向（例えば図の上下方向）になる。
【００４３】
ケーシング１１１は、金属製のものであり、先端部分の径と後端部分の径が同一である。また、軸方向の長さの方が先端部分における径方向の長さよりも長い。このケーシング１１１の具体例としては、例えば、直径が６０ｍｍ以上８０ｍｍ以下であって、軸方向の長さが径方向の長さの１．５倍以上２．５倍以下の細長いストレート筒があげられる。なお、ケーシングの形状はここで説明した形状に限られない。
【００４４】
光源１１２は、チップ型の発光ダイオード、すなわち面状の発光ダイオードを複数有するものであるが、発光ダイオードは砲弾型であってもよい。光源１１２の基板には不図示の電線が接続されている。
【００４５】
図２（ｂ）は、図２（ａ）に示す照明装置が備えるヒートシンクを軸方向後端側から見た図である。
【００４６】
図２（ｂ）に示すヒートシンク１１３は、ケーシング１１１内の、光源１１２とファンユニット１１４との間に収容された、ケーシング１１１の軸心方向に延在した金属製のものである。このヒートシンク１１３は、ケーシング１１１の周面１１１ａに不図示のボルトによって取外可能に固定されており、円柱状の基部１１３１と、その基部１１３１の周面から周方向に間隔をあけて放射状に延びる複数のフィン１１３２とを有する。基部１１３１の軸心部分には、軸心方向に貫通孔１１３１ａが形成され、軽量化されている。また、図２（ｂ）にはヒートシンク１１３の後端面が示されているが、基部１１３１の先端面にはボルト孔が形成されている。光源１１２は、そのボルト孔を用いて基部１１３１の先端面にボルト止めされており、光源１１２から発生した熱はヒートシンク１１３に直接伝わる。また、光源１１２の基板に接続された電線（不図示）は、貫通孔１１３１ａを通って後端側まで延びている。
【００４７】
複数のフィン１１３２の先端それぞれは、金属製のケーシング１１１の内周面に接している。このため、光源１１２から発生した熱はヒートシンク１１３を経由してケーシング１１１に伝わり、効率よく外部に放散される。なお、ヒートシンク１１３は、必ずしもケーシング１１１の内周面に接している必要はない。また、図２（ａ）に示すように、ヒートシンク１１３とファンユニット１１４の間には空間Ｓが設けられており、この空間Ｓに、光源１１２を制御する制御回路を配置してもよい。
【００４８】
また、図２（ａ）に示すように、本実施形態の照明装置１１は、光源１１２よりも先端側に光学ユニット１１５を備えている。この光学ユニット１１５は、筒状のフレーム１１５０と、円形の透明樹脂板１１５１と、その円形の透明樹脂板１１５１と同じ大きさの円形のレンズ１１５２を有する。円形の透明樹脂板１１５１は、筒状のフレーム１１５０の先端開口を塞ぐように固定配置されたアクリル系樹脂からなるものであり、レンズ１１５２が傷付くことを防止する。円形のレンズ１１５２はその透明樹脂板１１５１に後側から重なるように接して固定配置されている。レンズ１１５２は、所定の集光特性をもった平面レンズである。このレンズ１１５２の、フレーム１１５０への取り付け方法としては、例えば、ほうろうネジを用いて、レンズ１１５２の縁を多少潰すようにネジを入れ込み、レンズのがたつきを防止することが好ましい。なお、透明樹脂板１１５１とレンズ１１５２は貼り合わされて一体になったものであってもよいし、別体のものであってもよい。
【００４９】
光学ユニット１１５は、ケーシング１１１における軸方向の取付位置を変えてそのケーシング１１１に取り付けることができるものである。すなわち、ケーシング１１１には、その周方向に９０度ずつ間隔をあけて軸方向に延びる取付溝１１５３が形成されており、
光学ユニット１１５のフレーム１１５０にはネジ孔が設けられている。この取付溝１１５３は、先端側に第１係合部１１５３ａ、後端側に第３係合部１１５３ｃ、第１係合部１１５３ａと第３係合部１１５３ｃの中間に第２係合部１１５３ｂを有する。光学ユニット１１５は、ケーシング１１１にネジ止めされており、第１係合部１１５３ａから第３係合部１１５３ｃのうちのいずれかの係合部にネジを挿入することで、光学ユニット１１５の軸方向の位置が定まる。図２（ａ）に示す照明装置１１では、中間の第２係合部１１５３ｂにネジ１１５４を挿入し、光学ユニット１１５がケーシング１１１に固定されている様子が示されている。ここで、先端側の第１係合部１１５３ａにネジ１１５４を挿入した場合には、光学ユニット１１５は最も前進し、光学ユニット１１５の先端はケーシング１１１の先端から突出した状態になる。この状態では、光源１１２とレンズ１１５２の距離は最長になり、光源１１２から発せられた光はレンズ１１５２によって最も集光され、その光の照度は最も高くなる。一方、後端側の第３係合部１１５３ｃにネジ１１５４を挿入した場合には、光学ユニット１１５は最も後退し、光学ユニット１１５の先端はケーシング１１１の先端よりも後ろへ下がった状態になる。この状態では、光源１１２とレンズ１１５２の距離は最短になり、光源１１２から発せられた光はレンズ１１５２によって最も拡散され、その光の照度は最も低くなる。図２（ａ）に示すように第２係合部１１５３ｂにネジ１１５４を挿入した場合には、光学ユニット１１５の先端とケーシング１１１の先端が一致し、光源１１２とレンズ１１５２の距離は最長と最短の中間の長さになり、光源１１２から発せられた光の照度も最高と最低のちょうど中間になる。したがって、本実施形態の照明装置１１では、レンズ１１５２は、ケーシング１１１における軸方向の取付位置をそのケーシング１１１の先端側で変更可能にケーシング１１１に取付けられたものである。なお、本実施形態では３段階の切り替えにしたが、４段階以上の切り替えであってもよいし、２段階の切り替えであってもよいし、係合部を設けずに軸方向に延びる取付溝１１５３の任意の位置でネジ止めして、無段階の連側的な取付位置の調整を行えるようにしてもよい。
【００５０】
こうして光学ユニット１１５は、軸方向の位置を、照度あるいは照射範囲の関係から調整してケーシング１１１にネジ止めされるが、ネジ止めは周方向４カ所で行われる。それぞれのネジの頭部はケーシング１１１から露出しており、外から視認可能である。一方、各ネジの、頭部とは反対側の先端は、筒状のフレーム１１５０を突き抜けて光学ユニット１１５のフレーム１１５０の内周壁と同じ位置まで達している。図２（ａ）では３カ所のネジ１１５４〜１１５６が示されているが、４カ所のうち、少なくとも１カ所のネジを、透光性の材料（例えば透明アクリル樹脂）で作製したものにすることで、光源１１２が光を発すると透光性の材料からなるネジが光ることになる。本実施形態では、上部のネジ１１５５と下部のネジ１１５６を透光性の材料からなる透明ネジにし、光源１１２の発光／非発光の確認部材としても機能させている。照明装置１１を設置したり調整するために、照明装置１１の後方から作業する場合には、照明装置１１が発光しているのか否かを確認しづらいことがあるが、透光性の材料からなる透明なネジ１１５５，１１５６を設けることで、照明装置１１が発光しているのか否かを容易に確認することができる。また、透明なネジ１１５５，１１５６は、意匠的にも優れている。なお、左右のネジ１１５４は、固定強度を高めるため金属製のネジを用いている。
【００５１】
図２（ｃ）は、図２（ａ）に示す照明装置を先端側から見た図である。
【００５２】
この図２（ｃ）では、光学ユニット１１５が４カ所でケーシング１１１にネジ止めされている様子が示されている。また、光学ユニット１１５の径はケーシング１１１の径よりも小さく、ケーシング１１１と光学ユニット１１５の間には環状の隙間が形成されており、この隙間が空気取入口Ｈ１になる。すなわち、図２（ａ）に示す照明装置１１では、円筒状のケーシング１１１の先端面に空気取入口Ｈ１が設けられている。
【００５３】
また、ファンユニット１１４はケーシング１１１の後端側開口からケーシング１１１内に挿入されて、ボルト１１４１によってケーシング１１１の周面１１１ａに取外可能に固定されている。図２（ａ）に示すように、ケーシング１１１の周面１１１ａの後端には、Ｌ字状の溝１１４１ａが設けられており、ファンユニット１１４とケーシング１１１を周方向に相対的にずらしてファンユニット１１４の脱着が行われる。ファンユニット１１４の後端にも開口Ｈ２が設けられており、ケーシング１１１と一体になったファンユニット１１４の開口Ｈ２が、ケーシング１１１の後端面に設けられた、ファンにつながる開口に相当する。図２（ａ）には、後端側のファンが回転し、先端の空気取入口Ｈ１から空気が取り込まれ、ヒートシンク１１３の、周方向に隣り合うフィン１１３２とフィン１１３２の間を通って、後端面の開口Ｈ２から空気が装置外に放出される様子が、矢印によって表されている。したがって、本実施形態では、ヒートシンク１１３の、周方向に隣り合うフィン１１３２とフィン１１３２の間が、空気取入口Ｈ１から入り込んだ空気が後端側に流れる流路になる。また、空気取入口Ｈ１の近傍に光源１１２が配置されているため、光源１１２の冷却効率が良好である。
【００５４】
本実施形態の照明装置１１によれば、ファンを備えているため、光源１１２で発生した熱の放散を、ヒートシンク１１３のみに頼ることなく、その熱を、ファンの力も借りて効率的に装置外に放散することができる。しかも、ケーシング１１１内に空気の流路が形成され、光源１１２で発生した熱が、その流路を流れる空気によってより効率的に装置外に放出される。このため、ヒートシンク１１３は小径化されており、装置全体も小型化され、照明装置１１は、スタイリッシュなデザインに仕上がっている。
【００５５】
図３は、図１に示す照明システムを後端側から見た様子を模式的に示す図である。この図３では、紙面右斜め奥側が照明装置１１の先端側になる。
【００５６】
この図３には、照明装置１１と、その照明装置１１を支持する支持部１２１と、パイプ部材１２２の一部が図示されており、照明装置１１の光源が点灯して、透明なネジ１１５５，１１５６が光っている様子が示されている。
【００５７】
また、この図３には、ケーシング１１１の後端面に設けられた開口に相当するファンユニット１１４の開口Ｈ２や、これまで不図示であった、ファン１１４０や電線１１７も示されている。電線１１７の一端側は、ケーシング１１１に設けられた孔からケーシング内部に入って、光源１１２やファンユニット１１４に電力を供給したり、制御信号を伝達する。また、電線１１７の他端側はパイプ部材１２２に収容されている。
【００５８】
さらに、この図３には、パイプ部材１２２が有する回転防止部１２２１も示されている。上述のごとく、パイプ部材１２２は、照明装置１１を支持した支持部１２１がその照明装置１１の軸周りに回転可能に連結したものである。一方、図１に示す取付部１２３は、図１に示す壁９０等の固定物に、そのパイプ部材１２２を軸周りに回転不能に取付けるものである。図３に示す回転防止部１２２１は、斜め方向に延びる上下が逆になったＬ字状の部材であり、支持部１２１の回転範囲に侵入したものである。このため、本実施形態では、支持部１２１が所定角度まで回転すると、支持部１２１の係合片１２１１と回転防止部１２２１が干渉し、支持部は１２１は所定角度を超えて回転することができない。このため、照明装置１１を軸周りに不必要に回転させて電線１１７が捩れてしまうことが防止される。
【００５９】
本実施形態の照明システム１０は、照明装置１１の、径方向を回動軸にした回動も、軸周りの回転も許容するため、照明装置１１の照射方向の調整が、電線１１７が捩れてしまうことを防止しながら自由自在に行える。しかも、上述のごとく回転防止部１２２１は斜め方向に延びるものであるため、図３に示す状態から支持部１２１を回転させ、照明装置１１に真横方向を照射させたり真上方向を照射させたりすることもできる。
【００６０】
また、この図３には、ファンユニット１１４をケーシング１１１に固定するボルト１１４１や、ヒートシンクをケーシング１１１に固定するボルト１１３３も示されている。ファンユニット固定用のボルト１１４１を外すことで、ファンユニット１１４は、ケーシング１１１の後端開口から取り出すことができ、さらに、ヒートシンク固定用のボルト１１３３を外すことで、ヒートシンクも、ケーシング１１１の後端開口から取り出すことができる。すなわち、本実施形態の照明装置１１では、ヒートシンクは、ケーシング１１１から取り外し自在なものである。照明装置１１を長期間使用すると、空気取入口Ｈ１がホコリ等によって塞がれて開口面積が小さくなり、ケーシング１１１内に図２（ａ）に矢印で示したような空気の流れが生じにくくなって放熱効果が低下することがある。また、空気の流路になる、図２（ｂ）に示すヒートシンク１１３の、周方向に隣り合うフィン１１３２とフィン１１３２の間にもホコリ等が詰まってしまうことがある。本実施形態の照明装置１１では、ヒートシンク１１３をケーシング１１１内から取り出すことができるため、ヒートシンク１１３に付着したホコリ等をブラシ等で簡単に除去することができる。また、ヒートシンク１１３を取り出したケーシング１１１内にエアーを吹き込めば、ケーシング１１１内周壁に付着したホコリや空気取入口Ｈ１を塞ぐホコリも簡単に吹き飛ばすことができ、メンテナンスが容易になる。
【００６１】
続いて、図２（ａ）に示す照明装置の変形例について説明する。以下、これまで説明した構成要素の名称と同じ名称の構成要素にはこれまで用いた符号と同じ符号を付し、重複する説明は省略して、変形例の特徴部分を中心に説明する。
【００６２】
図４（ａ）は、図２（ａ）に示す照明装置の第１変形例を示す図である。
【００６３】
この図４（ａ）でも照明装置１１は内部構造がわかるように透視した状態で示されており、先端側が図の左側になり、後端側が図の右側になる。
【００６４】
この第１変形例の照明装置１１は、ケーシング１１１の周面１１１ａに空気取入口Ｈ１が設けられている。図４（ａ）に示す空気取入口Ｈ１は、ケーシング１１１の周方向に間隔をあけて複数設けられた円弧状のスリットであって、ヒートシンク１１３の先端部分近傍に設けられたものである。
【００６５】
また、第１変形例の照明装置１１が備えるヒートシンク１１３の形状は、図２（ｂ）に示すヒートシンクの形状とは異なる。
【００６６】
図４（ｂ）は、図４（ａ）に示す照明装置が備えるヒートシンクを軸方向後端側から見た図である。
【００６７】
図４（ｂ）に示すヒートシンク１１３は、平行に設けられた複数のフィン１１３２を有する。また、図２（ｂ）に示すヒートシンクに比べて基部１１３１の占める割合が小さく、その分、フィン１１３２の占める割合が高い。この基部１１３１には、不図示の電線を通す電線通し溝１１３１ｃが設けられている。また、図４（ｂ）にはヒートシンク１１３の後端面が示されているが、このヒートシンク１１３の先端には円板１１３４が設けられており、その円板１１３４には、光源１１２をボルト止めするためのボルト孔が設けられている。なお、図４（ｂ）に示すヒートシンク１１３におけるフィン１１３２の先端それぞれは、ケーシング１１１の内周面に非接触であり、フィン１１３２の先端とケーシング１１１の内周面との間も、空気取入口Ｈ１から入り込んだ空気の通り道になる。この第１変形例では、ファンを正逆回転可能なものとし、ファンを正回転させると、空気取入口Ｈ１から空気が取り込まれ、ヒートシンク１１３の、フィン１１３２とフィン１１３２の間、あるいはフィン１１３２の先端とケーシング１１１の内周面との間を通って、後端面の開口Ｈ２から空気が装置外に放出され、ファンを逆回転させると、反対に、後端面の開口Ｈ２から空気が取り込まれ、ヒートシンク１１３の、フィン１１３２とフィン１１３２の間、あるいはフィン１１３２の先端とケーシング１１１の内周面との間を通って、今度は、空気取入口Ｈ１から空気が装置外に放出される（図４（ａ）に示した矢印参照）。ファンを正逆回転可能なものにする代わりに、ファンの表裏を逆にして、あるいはファンユニット１１４自体の表裏を逆にして設けても、空気の流れる方向を逆にすることができる。
【００６８】
図５（ａ）は、図２（ａ）に示す照明装置の第２変形例を示す図である。
【００６９】
この図５（ａ）は、第２変形例の照明装置１１の先端側半分の断面を示す図であるが、断面を表すハッチングは省略してある。なお、この図５（ａ）でも、先端側が図の左側になり、後端側が図の右側になる。
【００７０】
第２変形例では光学ユニット１１５をネジ式にし、レンズ１１５２の位置を、ケーシング１１１における軸方向で自由に調整できるようにしている。図５（ａ）に示す光学ユニット１１５は、ヒートシンク１１３の、光源１１２が取り付けられた先端面に固定された内筒１１５７と、透明樹脂板１１５１およびレンズ１１５２が取り付けられた外筒１１５８を有する。なお、内外の関係は逆であってもよい。内筒１１５７の外周面と、外筒１１５８の内周面にはともにネジ溝１１５７ａ，１１５８ａが設けられており、このネジ溝１１５５７ａ、１１５８ａによって内筒１１５７と外筒１１５８は螺合している。外筒１１５８は、ケーシング１１１の内径よりも小径なものであり、ケーシング１１１の内周面と外筒１１５８および内筒１１５７との間には隙間が形成され、先端では環状の空気取入口Ｈ１になって、この空気取入口Ｈ１からケーシング１１１内に空気が入り込む（図中の矢印参照）。なお、図４（ａ）には、レンズ１１５２の縁を多少潰すように、ほうろうネジ１１５２ａをレンズに食い込ませ、レンズ１１５２のがたつきを防止している様子も示されている。
【００７１】
図５（ｂ）は、図５（ａ）に示す照明装置を軸方向先端側から見た図である。
【００７２】
外筒１１５８には、先端側に円形の開口１１５８ｂが設けられ、その開口１１５８ｂから透明樹脂板１１５１が覗いている。外筒１１５８には、周方向４カ所につまみ部１１５８ｃが設けられ、図５（ａ）に示すようにつまみ部１１５８ｃはケーシング１１１から突出している。つまみ部１１５８ｃをつまんで外筒１１５８を正逆回転させることにより、外筒１１５８は軸方向に進退する。外筒１１５８を回転させて、前進（先端側に向けて移動）させれば光源１１２から発せられた光はレンズ１１５２によって集光されて照度は高くなり、反対に後退（後端側に向けて移動）させれば光源１１２から発せられた光はレンズ１１５２によって拡散され照度は低くなる。第２変形例の照明装置１１では、外筒１１５８を操作するだけで、照度あるいは照射範囲を連側的に調整することができる。
【００７３】
なお、これまで説明した照明装置は、ステー１２から取り外して、天井に埋め込まれるダウンライトとしても使用可能である。この際、支持方法を工夫して、角度調整可能ないわゆるユニバーサルダウンライトとして使用することも可能である。
【００７４】
以上説明した照明システム１０では、放熱効果に優れた照明装置１１が採用されている。また、照明装置１１が小径化されたことにより、照明装置１１が目立ちにくくなり、その場のデザインに影響を与えることが少ない。さらに、スタイリッシュなデザインに仕上がっているため、照明装置１１が視界に入ったとしても、その場のデザインの一部として見ることもできる。しかも、照明装置１１が小型化されているため、照明装置１１の運搬や設置、さらには設置した照明装置の調整が容易に行える。
【符号の説明】
【００７５】
１０    照明システム
１１    照明装置
１１１    ケーシング
１１２    光源
１１３    ヒートシンク
１１４    ファンユニット
１１４０    ファン
１１５    光学ユニット
１１５１    透明樹脂板
１１５２    レンズ
１１７    電線
１２    ステー
１２１    支持部
１２２    パイプ部材
１２２１    回転防止部
１２３    取付部
Ｈ１    空気取入口
Ｈ２    開口 
【図１】
0005545685.tif 000002
【図２】
0005545685.tif 000003
【図３】
0005545685.tif 000004
【図４】
0005545685.tif 000005
【図５】
0005545685.tif 000006